(57)【特許請求の範囲】
【請求項１】
画情報を蓄積する１つ以上のボックスを備えたファクシミリ装置において、
複数回線を収容するとともに、おのおのの回線について独立したファクシミリ通信が可能な多重通信管理手段と、
上記多重通信管理手段による複数のファクシミリ通信で、同一の上記ボックスに対するポーリング受信を可能とするポーリング受信管理手段とを備え、
上記ポーリング受信管理手段は、ポーリング受信要求されたボックスに対して、画情報の蓄積が行われていて、その蓄積が終了していないときには、そのポーリング受信要求を拒否することを特徴とするファクシミリ装置。
【請求項２】
前記ポーリング受信管理手段は、ポーリング受信要求されたボックスに対して、画情報の蓄積が行われていて、その蓄積が終了していないときには、その画情報の蓄積動作に同期して、ポーリング受信要求にかかる画情報読み込み動作を行うことを特徴とする請求項１記載のファクシミリ装置。
【請求項３】
画情報を蓄積する１つ以上のボックスを備えたファクシミリ装置において、
複数回線を収容するとともに、おのおのの回線について独立したファクシミリ通信が可能な多重通信管理手段と、
上記ボックスに画情報を蓄積しているとき、同一のボックスに対して他の蓄積要求が発生したとき、その他の蓄積要求を受け付けない蓄積管理手段を備えたことを特徴とするファクシミリ装置。
【請求項４】
前記蓄積管理手段は、前記他の蓄積要求の発行元に対して、エラー通知を行うことを特徴とする請求項３記載のファクシミリ装置。
【請求項５】
前記それぞれのボックスについてのアクセス履歴を作成し、ユーザの要求に応じて、あるいは、所定タイミングで、そのアクセス履歴の一覧を示すレポートを可視出力するアクセスログ出力手段をさらに備えたことを特徴とする請求項１または請求項２または請求項３または請求項４記載のファクシミリ装置。
【請求項６】
前記それぞれのボックスについてのアクセス履歴を作成し、着信時、アクセスログ受信が要求されると、上記アクセス履歴の一覧を示すレポート画像をその要求元へ送信するアクセスログ送信手段をさらに備えたことを特徴とする請求項１または請求項２または請求項３または請求項４記載のファクシミリ装置。
【請求項７】
前記ボックスには所定のコード番号が登録され、
前記アクセスログ受信要求は、所定のコード番号のボックスに対する選択ポーリングにより行われることを特徴とする請求項６記載のファクシミリ装置。
【請求項８】
画情報を蓄積する１つ以上のボックスと、複数回線を収容するとともに、おのおのの回線について独立したファクシミリ通信が可能な多重通信管理手段を備えたファクシミリ装置の制御方法において、
上記多重通信管理手段による複数のファクシミリ通信で、同一の上記ボックスに対するポーリング受信が発生した場合に、ポーリング受信要求されたボックスに対して、画情報の蓄積が行われていて、その蓄積が終了していないときには、そのポーリング受信要求を拒否することを特徴とするファクシミリ装置の制御方法。
【請求項９】
画情報を蓄積する１つ以上のボックスと、複数回線を収容するとともに、おのおのの回線について独立したファクシミリ通信が可能な多重通信管理手段を備えたファクシミリ装置の制御方法において、
上記多重通信管理手段による複数のファクシミリ通信で、同一の上記ボックスに対するポーリング受信が発生した場合に、ポーリング受信要求されたボックスに対して、画情報の蓄積が行われていて、その蓄積が終了していないときには、その画情報の蓄積動作に同期して、ポーリング受信要求にかかる画情報読み込み動作を行うことを特徴とするファクシミリ装置の制御方法。
【請求項１０】
画情報を蓄積する１つ以上のボックスと、複数回線を収容するとともに、おのおのの回線について独立したファクシミリ通信が可能な多重通信管理手段を備えたファクシミリ装置の制御方法において、
上記ボックスに画情報を蓄積しているとき、同一のボックスに対して他の蓄積要求が発生したとき、その他の蓄積要求を受け付けないとともに、その他の蓄積要求の発行元に対して、エラー通知を行うようにしたことを特徴とするファクシミリ装置の制御方法。
【請求項１１】
さらに、前記それぞれのボックスについてのアクセス履歴を作成し、ユーザの要求に応じて、あるいは、所定タイミングで、そのアクセス履歴の一覧を示すレポートを可視出力するようにしたことを特徴とする請求項８または請求項９または請求項１０記載のファクシミリ装置。
【請求項１２】
さらに、前記それぞれのボックスについてのアクセス履歴を作成し、着信時、アクセスログ受信が要求されると、上記アクセス履歴の一覧を示すレポート画像をその要求元へ送信するようにしたことを特徴とする請求項８または請求項９または請求項１０記載のファクシミリ装置の制御方法。
【請求項１３】
前記ボックスには所定のコード番号が登録され、
さらに、前記アクセスログ受信要求は、所定のコード番号のボックスに対する選択ポーリングにより行われるようにしたことを特徴とする請求項１２記載のファクシミリ装置の制御方法。
【発明の詳細な説明】
【０００１】
【発明の属する技術分野】
本発明は、Ｆコードが登録された１つ以上のボックスを備え、Ｆコード対応センター装置機能を備えたファクシミリ装置、および、その制御方法に関する。
【０００２】
【従来の技術】
従来、Ｆコードが登録された１つ以上のボックスを備え、そのボックスを用いて、親展受信や選択ポーリング送信などの種々のサービスを実行できるようにしたいわゆるＦコード対応センター装置が実用されている。
【０００３】
このようなＦコード対応センター装置を利用すると、親展受信や掲示板などのサービスを、メーカーが異なる異機種のファクシミリ装置（このようなファクシミリ装置を「Ｆコード対応装置」という）から、親展受信機能や掲示板機能を利用することができるので、幅広いサービスが可能となり、ファクシミリ通信の使い勝手を大幅に向上することができるようになる。
【０００４】
【発明が解決しようとする課題】
さて、このようなＦコード対応センター装置において、多数のＦコード対応装置からの親展受信要求や、掲示板を使用するための選択ポーリング受信要求を円滑に、かつ、迅速に処理できるようにするためには、複数回線を収容し、それぞれの回線について、通信動作を独立して実行できるようにする機能を備えることが考えられる。
【０００５】
一方、従来の複数回線を備えて複数の通信動作を独立して実行できるようなファクシミリセンター装置は、装置構成が非常に大規模で、かつ、専用の制御プログラムなどを備えているため、装置コストが大きく、この従来のファクシミリセンター装置をそのままＦコード対応センター装置に流用すると、装置コストが非常に大きくなるという不具合を生じる。
【０００６】
それに対し、１回線のみを使用するＦコード対応センター装置に対し、複数回線を収容して複数の通信動作を独立して実行できるような機能を追加するには、かなり大規模な制御プログラムの変更が必要となり、この場合も、装置コストが高くなってしまう。
【０００７】
本発明は、かかる実情に鑑みてなされたものであり、装置コストをなるべく抑えてＦコード対応センター装置を実現できるようにしたファクシミリ装置およびその制御方法を提供することを目的としている。
【０００８】
【課題を解決するための手段】
本発明は、画情報を蓄積する１つ以上のボックスを備えたファクシミリ装置において、複数回線を収容するとともに、おのおのの回線について独立したファクシミリ通信が可能な多重通信管理手段と、上記多重通信管理手段による複数のファクシミリ通信で、同一の上記ボックスに対するポーリング受信を可能とするポーリング受信管理手段とを備え、上記ポーリング受信管理手段は、ポーリング受信要求されたボックスに対して、画情報の蓄積が行われていて、その蓄積が終了していないときには、そのポーリング受信要求を拒否するようにしたものである。
【００１０】
また、前記ポーリング受信管理手段は、ポーリング受信要求されたボックスに対して、画情報の蓄積が行われていて、その蓄積が終了していないときには、その画情報の蓄積動作に同期して、ポーリング受信要求にかかる画情報読み込み動作を行うようにしたものである。
【００１１】
また、画情報を蓄積する１つ以上のボックスを備えたファクシミリ装置において、複数回線を収容するとともに、おのおのの回線について独立したファクシミリ通信が可能な多重通信管理手段と、上記ボックスに画情報を蓄積しているとき、同一のボックスに対して他の蓄積要求が発生したとき、その他の蓄積要求を受け付けない蓄積管理手段を備えたものである。また、前記蓄積管理手段は、前記他の蓄積要求の発行元に対して、エラー通知を行うようにしたものである。
【００１２】
また、前記それぞれのボックスについてのアクセス履歴を作成し、ユーザの要求に応じて、あるいは、所定タイミングで、そのアクセス履歴の一覧を示すレポートを可視出力するアクセスログ出力手段をさらに備えたものである。また、前記それぞれのボックスについてのアクセス履歴を作成し、着信時、アクセスログ受信が要求されると、上記アクセス履歴の一覧を示すレポート画像をその要求元へ送信するアクセスログ送信手段をさらに備えたものである。また、前記ボックスには所定のコード番号が登録され、前記アクセスログ受信要求は、所定のコード番号のボックスに対する選択ポーリングにより行われるようにしたものである。
【００１５】
また、画情報を蓄積する１つ以上のボックスと、複数回線を収容するとともに、おのおのの回線について独立したファクシミリ通信が可能な多重通信管理手段を備えたファクシミリ装置の制御方法において、上記多重通信管理手段による複数のファクシミリ通信で、同一の上記ボックスに対するポーリング受信が発生した場合に、ポーリング受信要求されたボックスに対して、画情報の蓄積が行われていて、その蓄積が終了していないときには、そのポーリング受信要求を拒否するようにしたものである。
【００１６】
また、画情報を蓄積する１つ以上のボックスと、複数回線を収容するとともに、おのおのの回線について独立したファクシミリ通信が可能な多重通信管理手段を備えたファクシミリ装置の制御方法において、上記多重通信管理手段による複数のファクシミリ通信で、同一の上記ボックスに対するポーリング受信が発生した場合に、ポーリング受信要求されたボックスに対して、画情報の蓄積が行われていて、その蓄積が終了していないときには、その画情報の蓄積動作に同期して、ポーリング受信要求にかかる画情報読み込み動作を行うようにしたものである。
【００１７】
また、画情報を蓄積する１つ以上のボックスと、複数回線を収容するとともに、おのおのの回線について独立したファクシミリ通信が可能な多重通信管理手段を備えたファクシミリ装置の制御方法において、上記ボックスに画情報を蓄積しているとき、同一のボックスに対して他の蓄積要求が発生したとき、その他の蓄積要求を受け付けないとともに、その他の蓄積要求の発行元に対して、エラー通知を行うようにしたものである。
【００１８】
また、さらに、前記それぞれのボックスについてのアクセス履歴を作成し、ユーザの要求に応じて、あるいは、所定タイミングで、そのアクセス履歴の一覧を示すレポートを可視出力するようにしたものである。また、さらに、前記それぞれのボックスについてのアクセス履歴を作成し、着信時、アクセスログ受信が要求されると、上記アクセス履歴の一覧を示すレポート画像をその要求元へ送信するようにしたものである。また、前記ボックスには所定のコード番号が登録され、さらに、前記アクセスログ受信要求は、所定のコード番号のボックスに対する選択ポーリングにより行われるようにしたものである。
【００１９】
【発明の実施の形態】
以下、添付図面を参照しながら、本発明の実施の形態を詳細に説明する。
【００２０】
図１は、本発明の一実施例にかかるＦコード対応センター装置の構成を示している。
【００２１】
同図において、システム制御部１は、このグループ３ファクシミリ装置の各部の制御処理、および、ファクシミリ伝送制御手順処理などの各種制御処理を行うものであり、システムメモリ２は、システム制御部１が実行する制御処理プログラム、処理プログラムを実行するときに必要な各種データなどを記憶するとともに、システム制御部１のワークエリアを構成するものであり、パラメータメモリ３は、このグループ３ファクシミリ装置に固有な各種の情報（例えば、ワンタッチダイアル機能の登録情報など）を記憶するためのものであり、時計回路４は、現在時刻情報を出力するものである。
【００２２】
スキャナ５は、所定の解像度で原稿画像を読み取るためのものであり、プロッタ６は、所定の解像度で画像を記録出力するためのものであり、操作表示部７は、このグループ３ファクシミリ装置を操作するためのもので、テンキーやワンタッチダイアルキーなどの各種の操作キー、および、液晶表示器などの各種の表示器からなる。
【００２３】
符号化復号化部８は、画信号を符号化圧縮するとともに、符号化圧縮されている画情報を元の画信号に復号化するためのものであり、同時に複数の符号化復号化処理を実行できる機能を備えており、画像蓄積装置９は、符号化圧縮された状態の画情報を多数記憶するためなどに用いられるものであり、上述したボックス機能も実現する。
【００２４】
通信制御部１０は、複数のグループ３ファクシミリ通信動作を並列的に実行するためのものであり、複数の通信ユニットＣＵ１〜ＣＵｍが接続されていて、それぞれの通信ユニットＣＵ１〜ＣＵｍを用いたグループ３ファクシミリ通信動作を独立して並列的に行うことができる。通信ユニットＣＵ１〜ＣＵｍは、公衆網ＰＳＴＮの回線を１つずつ収容し、公衆網ＰＳＴＮを介し、おのおの独立してグループ３ファクシミリ通信動作を行うためのものであり、それぞれグループ３ファクシミリモデムＭＤＭ１〜ＭＤＭｍおよび網制御装置ＮＣＵ１〜ＮＣＵｍからなる。
【００２５】
グループ３ファクシミリモデムＭＤＭ１〜ＭＤＭｍは、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。また、網制御装置ＮＣＵ１〜ＮＣＵｍは、それぞれ公衆網ＰＳＴＮの回線を収容するためのものであり、それぞれが自動発着信機能を備えている。
【００２６】
これらの、システム制御部１、システムメモリ２、パラメータメモリ３、時計回路４、スキャナ５、プロッタ６、操作表示部７、符号化復号化部８、画像蓄積装置９、および、通信制御部１０は、内部バス１１に接続されており、これらの各要素間でのデータのやりとりは、主としてこの内部バス１１を介して行われている。
【００２７】
また、このＦコード対応センター装置には、その画像蓄積装置９を利用して、複数のボックスが設けられており、それぞれのボックスを管理するために、図２（ａ）に示すようなボックス情報テーブルが作成され、システムメモリ２に記憶されている。また、それぞれのボックス情報は、同図（ｂ）に示すように、そのボックスに割り当てられたボックス番号（Ｆコード）、および、所定の管理情報からなる。
【００２８】
また、画像蓄積装置９に画情報を蓄積するときには、図３（ａ）に示したようなファイル管理情報が作成されて、システムメモリ２に保存される。このファイル管理情報は、それぞれのファイル管理情報を識別するためのファイル番号、そのファイル管理情報が管理している画情報がボックスに格納される場合に、そのボックス番号の値が登録されるボックス番号、画情報のページ数、および、１ページ目の画情報を管理しているページ管理情報の識別情報（ＰＩＤ）を記憶する１ページのＰＩＤからなる。
【００２９】
ページ管理情報は、同図（ｂ）に示すように、それぞれのページ管理情報を識別するためのＰＩＤ、対応する画情報のページ番号の値が登録されるページ番号、対応する画情報の先頭ブロックを記憶したブロック管理情報のブロック番号の値が登録される先頭ブロック番号、対応する画情報を構成するブロックの数が登録されるブロック数、および、次のページの情報を管理するページ管理情報のＰＩＤの値が登録される次ページＰＩＤからなる。なお、そのページ管理情報が最終ページを管理するものである場合、次ページＰＩＤの値には、無効データ（例えば、１６進数で「ＦＦ」など）が登録される。
【００３０】
ブロック管理情報は、同図（ｃ）に示すように、それぞれのブロック管理情報を識別するためのブロック番号、対応するブロック情報の、画像蓄積装置９における先頭アドレスの値が登録されるデータ格納アドレス、および、次のブロックを管理するブロック管理情報のブロック番号の値が登録される次ブロック番号からなる。ここで、１つのブロックは、例えば、２０４８バイトなどの固定長である。また、そのブロック管理情報が最終ブロックを管理する場合には、次ブロック番号の値には、無効データ（例えば、１６進数で「ＦＦ」など）が登録される。
【００３１】
したがって、１つの画情報（ファイル）を保存する際、その画情報ファイルの画情報データは、ページ単位に、２０４８バイトのブロック長のブロックデータに分割されて、そのブロックデータごとに、画像蓄積装置９の空領域に順次保存されるとともに、その保存態様をあらわす複数のブロック管理情報、および、ページ管理情報が作成される。そして、全てのページの画情報の保存が完了すると、ファイル管理情報が作成され、それらのファイル管理情報、ページ管理情報、及び、ブロック管理情報は、それぞれシステムメモリ２または画像蓄積装置９に設けられている管理情報領域（図示略）に保存される。
【００３２】
さて、本実施例の場合、画情報ファイルが新たに作成されると、１つのジョブファイルＪＢＦが作成されて、システムメモリ２に保存される（図４参照）。このジョブファイルＪＢＦは、対応する画情報ファイルのファイル番号、その画情報ファイルにかかる通信モード、および、その他その画情報ファイルにかかる通信に必要な各種の情報などからなる。
【００３３】
そして、この画情報ファイルにかかる通信動作を実行するための処理タスクを実行するとき、まず、ジョブファイルＪＢＦの内容を全て含むとともに、その通信動作に必要なパラメータ（動作モードや宛先など）を記憶するためのジョブ制御ファイルＪＣＦが作成され、さらに、その処理タスクに必要な通信資源（例えば、符号化復号化部８の処理チャネルや、メモリなど）を獲得し、その獲得した通信資源を記憶するためのジョブ実行ファイルＪＥＦ（ＪＥＦ１）を作成し、そのジョブ実行ファイルＪＥＦ１を参照して、１つ目の処理タスク＃１が開始される。
【００３４】
この状態で、同じジョブファイルＪＢＦにかかる他の通信動作を実行する場合、例えば、１つのボックスに保存している画情報をポーリング送信しているときに、他のＦコード対応装置よりポーリング受信要求があり、その２つ目のポーリング送信を行う場合、その２つ目の処理タスクに必要な通信資源を獲得し、その獲得した通信資源を記憶するためのジョブ実行ファイルＪＥＦ（ＪＥＦ２）を作成し、そのジョブ実行ファイルＪＥＦ２を参照して、２つ目の処理タスク＃２が開始される。
【００３５】
図５は、１つの通信動作の処理タスクを開始してから終了するときまでの一連の処理の概略の一例を示している。
【００３６】
まず、開始しようとする処理タスクが対象とするジョブファイルＪＢＦに、ジョブ実行ファイルＪＣＦが作成されているかどうかを調べ（判断１０１）、判断１０１の結果がＮＯになるときには、ジョブファイルＪＢＦに対応した所定の内容のジョブ制御ファイルＪＣＦを生成する（処理１０２）。
【００３７】
次いで、対象とする処理タスクに必要な通信資源を獲得し（処理１０３）、対象とする処理タスクに必要なジョブ実行ファイルＪＥＦを生成し（処理１０４）、処理タスクの実行を開始させる（処理１０５）。
【００３８】
そして、処理タスクが終了するまで待ち（判断１０６のＮＯループ）、処理タスクが終了して判断１０６の結果がＹＥＳになると、対応するジョブ実行ファイルＪＥＦを消去し（処理１０７）、そのときに獲得していた通信資源を解放して（処理１０８）、一連の処理を終了する。また、このとき、対応するジョブ制御ファイルＪＣＦに連なる他のジョブ実行ファイルＪＥＦがなくなる場合には、ジョブ制御ファイルＪＣＦを消去する。
【００３９】
このようにして、同一画情報ファイルに関わる複数の通信処理タスクを実行する場合、２つ目以降の処理タスクでは、必要な通信資源を獲得してジョブ実行ファイルＪＥＦを作成し、そのジョブ実行ファイルＪＥＦを参照した通信動作の処理タスクを実行しているので、多重通信の管理を比較的単純な機構で実現することができる。
【００４０】
すなわち、１つの通信回線のみを使用する場合には、２つ目以降の処理タスクが発生しないので、従来、ジョブファイルＪＢＦ、ジョブ制御ファイルＪＣＦ、および、ジョブ実行ファイルＪＥＦの系統で処理タスク管理を実現している。本実施例の場合には、このような従来の処理タスク管理に対して、２つ目以降の処理タスクに対する通信資源の割り当てと、処理タスクの実行の部分のソフトウェアを追加することで、多重通信を実現することができ、それにより、多重通信を実現するために要する労力を大幅に軽減することができることとなった。
【００４１】
ここで、処理タスクは、通信動作に関わるものだけではなく、各種レポートの作成／送信／記録出力、画情報の蓄積／消去／記録出力、画情報の再送動作、あるいは、送信できなかった画情報を保持して待機する不達保持など、このＦコード対応センター装置が実行する全ての画情報に関わる処理タスクが含まれる。
【００４２】
したがって、このＦコード対応センター装置は、基本的には、指定されたボックスへの画情報の蓄積、画情報送信動作、画情報受信動作、信号ＳＵＢにより指定されたＦコードのボックスへの親展受信動作、信号ＳＥＰにより指定されたＦコードのボックスからのポーリング送信動作（選択ポーリング）、または、アクセスログ（後述）の表示／記録出力動作などの各種動作を、同時に複数、並列的に実行することができる。
【００４３】
以上の構成で、このＦコード対応センター装置では、待機時、図６に示すような処理を実行している。
【００４４】
すなわち、ユーザから画情報送信が指令されるか、いずれかの通信ユニットＣＵ１〜ＣＵｍが着信検出するか、ユーザによる画情報のローカル登録が指示されたか、ユーザによりアクセスログの出力が要求されるか、アクセスログの出力時刻になるか、または、ユーザによる他の操作が要求されるかを監視している（判断２０１，２０２，２０３，２０４，２０５，２０６のＮＯループ）。
【００４５】
送信要求が発生して、判断２０１の結果がＹＥＳになるときには、所定の送信処理（処理２０７）を開始し、判断２０１へ戻る。また、いずれかの通信ユニットＣＵ１〜ＣＵｍが着信検出した場合で、判断２０２の結果がＹＥＳになるときには、所定の着信時処理（処理２０８）を開始し、判断２０１へ戻る。
【００４６】
また、ユーザによる画情報のローカル登録が指示された場合で、判断２０３の結果がＹＥＳになるときには、スキャナ５にセットされた原稿画像を読み取って、指定されたボックスへ登録するローカル登録処理（処理２０９）を開始し、判断２０１へ戻る。
【００４７】
また、ユーザによりアクセスログの出力が要求された場合で、判断２０４の結果がＹＥＳになるとき、または、アクセスログの出力時刻になった場合で、判断２０５の結果がＹＥＳになるときには、ボックスの画情報に対するアクセス状況をあらわすアクセスログの出力処理（処理２１０）を開始し、判断２０１へ戻る。
【００４８】
また、ユーザによる他の操作が要求された場合で、判断２０６の結果がＹＥＳになるときには、そのときに要求された操作に対応する処理を開始し（処理２１１）、判断２０１へ戻る。
【００４９】
図７は、送信処理（処理２０７）の一例を示している。なお、この送信処理の実行に当たっては、必要に応じ、上述したような処理タスクにかかる資源獲得などの処理が実行される。
【００５０】
まず、ユーザに対して宛先を入力させ（処理３０１）、スタートキーが押されるまで待つ（判断３０２のＮＯループ）。ユーザが宛先を入力し、スタートキーを押して、判断３０２の結果がＹＥＳになると、そのときにスキャナ５にセットされている送信原稿の画像を読み込み（処理３０３）、それによって得た画像データを符号化複号化部８で符号化圧縮し（処理３０４）、それによって得た画情報データを、画像蓄積装置９に蓄積する（処理３０５）。この蓄積時には、上述したブロック管理情報、ページ管理情報、および、ファイル管理情報が作成される。
【００５１】
画情報の蓄積を終了すると、そのときに蓄積した画情報にかかるジョブファイルＪＢＦを作成する（処理３０６）。
【００５２】
次いで、指定された宛先へ発呼し（処理３０７）、相手端末との間で所定のグループ３ファクシミリ伝送前手順を実行して使用する伝送機能などを決定し（処理３０８）、所定のモデムトレーニング手順を実行して使用するモデム速度を決定し（処理３０９）、そのときに蓄積した画情報を送信し（処理３１０）、画情報の送信を終了すると、所定の伝送後手順を実行し（処理３１１）、回線を復旧し（処理３１２）、送信終了した画情報を消去して（処理３１３）、対応するジョブファイルを消去し（処理３１４）、この動作を終了する。
【００５３】
図８、図９および図１０は、着信時処理（処理２０８）の一例を示している。なお、この着信時処理の実行に当たっては、必要に応じ、上述したような処理タスクにかかる資源獲得などの処理が実行される。
【００５４】
まず、着信応答し（処理４０１）、相手端末との間で所定のグループ３ファクシミリ伝送前手順を実行する（処理４０２）。この伝送前手順中で信号ＳＵＢを受信したかどうかを調べ（判断４０３）、判断４０３の結果がＹＥＳになるときには、その信号ＳＵＢで指定されたＦコードのボックスを検索し（処理４０４）、対象となるボックスが見つかったかどうかを調べ（判断４０５）、判断４０５の結果がＹＥＳになるときには、そのボックスに対して、現時点で画情報が登録中であるかどうかを調べる（判断４０６）。
【００５５】
判断４０６の結果がＮＯになるときには、モデムトレーニング手順を実行してモデム速度を決定し（処理４０７）、画情報受信手順を実行して画情報を受信するとともに、そのときに受信した画情報を指定されたボックスへと格納し（処理４０８）、画情報受信動作を終了すると、所定の伝送後手順を実行し（処理４０９）、回線を復旧して（処理４０９）、この着信時処理を終了する。
【００５６】
また、その信号ＳＵＢで指定されたＦコードのボックスを見つけられなかった場合で、判断４０５の結果がＮＯになるとき、および、検索して見つけたボックスに対して、現在、ローカルに、あるいは、他の通信により画情報の登録中であり、判断４０６の結果がＹＥＳになるときには、回線を強制的に復旧し（処理４１１）、エラー理由を通知するためのエラーログを作成し（処理４１２）、そのエラーログを画情報へ変換し（処理４１３）、伝送前手順で受信した信号ＣＳＩなどで確認できる送信元へ発呼し、エラーログの画情報を送信する（処理４１４）。
【００５７】
また、伝送前手順で信号ＳＵＢを受信しなかった場合で、判断４０３の結果がＮＯになるときには、伝送前手順で所定のＦコード以外を指定した信号ＳＥＰを受信したかどうかを調べる（判断４１５）。
【００５８】
判断４１５の結果がＹＥＳになるときには、その信号ＳＥＰで指定されたＦコードのボックスを検索し（処理４１６）、対象となるボックスが見つかったかどうかを調べ（判断４１７）、判断４１７の結果がＹＥＳになるときには、そのボックスに対して、現時点で画情報が登録中であるかどうかを調べる（判断４１８）。
【００５９】
判断４１８の結果がＮＯになるときには、指定された選択ポーリング送信動作を行うために、ポーリング送信動作に切換え、対応する伝送前手順を継続実行しそのときの画情報送信に使用する装置機能などを決定し（処理４１９）、モデムトレーニング手順を実行してモデム速度を決定し（処理４２０）、指定されたボックスに格納されている画情報を読み出して送信し（処理４２１）、その画情報送信を終了すると、所定の伝送後手順を実行し（処理４２２）、回線を復旧して（処理４２３）、この着信時処理を終了する。
【００６０】
一方、その信号ＳＥＰで指定されたＦコードのボックスを見つけられなかった場合で、判断４１７の結果がＮＯになるとき、および、検索して見つけたボックスに対して、現在、ローカルに、あるいは、他の通信により画情報の登録中であり、判断４１８の結果がＹＥＳになるときには、処理４１１へ移行し、回線を強制的に復旧し、エラー理由を通知するためのエラーログを作成し、そのエラーログを画情報へ変換し、伝送前手順で受信した信号ＣＳＩなどで確認できる送信元へ発呼し、エラーログの画情報を送信する。
【００６１】
また、判断４１５の結果がＮＯになるときには、所定のＦコードが指定された信号ＳＥＰを受信して、アクセスログ要求がされたかどうかを調べる（判断４２５）。
【００６２】
判断４２５の結果がＹＥＳになるときには、指定されたアクセスログ送信をポーリング送信動作で行うために、ポーリング送信動作に切換え、対応する伝送前手順を継続実行しそのときの画情報送信に使用する装置機能などを決定し（処理４２６）、モデムトレーニング手順を実行してモデム速度を決定する（処理４２７）。
【００６３】
次いで、そのときの各ボックスに対する送受信などの履歴を一覧表示する所定形式のアクセスログ（図示略）を作成し（処理４２８）、そのアクセスログの画情報を送信し（処理４２９）、そのアクセスログの送信を終了すると、所定の伝送後手順を実行し（処理４３０）、回線を復旧して（処理４３１）、この着信時処理を終了する。
【００６４】
また、判断４２５の結果がＮＯになるときには、通常の受信処理を実行し（処理４３２）、この着信時処理を終了する。
【００６５】
このようにして、この着信時処理では、信号ＳＵＢを受信して親展受信する場合、指定されたボックスが存在しないか、あるいは、その時点で画情報の登録中である場合には、その親展受信の受付を拒否するとともに、その旨を親展送信元へ通知しているので、無駄な受信動作を抑制するとともに、登録中の画情報が破壊されるような事態を回避でき、さらに、親展受信要求が拒否された原因を送信元のユーザが知ることができる。
【００６６】
また、信号ＳＥＰを受信して選択ポーリング受信要求がされた場合、指定されたボックスが存在しないか、あるいは、その時点で画情報の登録中である場合には、その親展受信の受付を拒否しているので、無駄なポーリング送信動作を抑制できるとともに、登録中の中途半端な画情報を送信するような事態を回避でき、さらに、選択ポーリング受信要求が拒否された原因を要求元のユーザが知ることができる。
【００６７】
また、所定の選択ポーリング受信要求時にＦコードが指定されると、アクセスログを送信するようにしているので、このＦコード対応センター装置のアクセス状況を、リモートに知ることができる。なお、この場合、アクセスログを要求できるユーザを制限するために、パスワードなどの認証手段を設けることができる。
【００６８】
図１１は、ローカル登録処理（処理２０９）の一例を示している。
【００６９】
まず、ユーザに登録先のボックス番号を入力させ（処理５０１）、その入力されたボックス番号のＦコードのボックスを検索し（処理５０２）、対象となるボックスが見つかったかどうかを調べ（判断５０３）、判断５０３の結果がＹＥＳになるときには、そのボックスに対して、現時点で画情報が登録中であるかどうかを調べる（判断５０４）。
【００７０】
判断５０４の結果がＮＯになるときには、スキャナ５にセットされた原稿画像を読み取り（処理５０５）、それによって得た画像データを符号化複号化部８で符号化圧縮し（処理５０６）、それによって得た画情報データを、画像蓄積装置９に蓄積する（処理５０７）。この蓄積時には、上述したブロック管理情報、ページ管理情報、および、ファイル管理情報が作成される。
【００７１】
画情報の蓄積を終了すると、そのときに蓄積した画情報にかかるジョブファイルＪＢＦを作成し（処理５０８）、このローカル登録処理を終了する。
【００７２】
また、その入力されたボックス番号のＦコードのボックスが見つからなかった場合で、判断５０３の結果がＮＯになるとき、または、そのボックスに対して、現時点で、ローカルに、あるいは、通信により画情報が登録中であり、判断５０４の結果がＹＥＳになるときには、そのボックスへは画情報を登録できない旨を、その原因とともにエラー表示し（処理５０９）、このローカル登録処理を終了する。
【００７３】
このようにして、ローカル登録時、指定されたボックスが存在しないか、あるいは、その時点で画情報の登録中である場合には、そのローカル登録の動作を禁止しているので、無駄な登録動作を抑制するとともに、登録中の画情報が破壊されるような事態を回避できる。
【００７４】
図１２は、アクセスログ出力処理（処理２１０）の一例を示している。
【００７５】
まず、そのときの各ボックスに対する送受信などの履歴を一覧表示する所定形式のアクセスログを作成し（処理６０１）、そのときに、アクセスログをレポート出力することが、装置に登録されているかどうかを調べる（判断６０２）。
【００７６】
判断６０２の結果がＹＥＳになるときには、処理６０１で作成したアクセスログの記録データを作成し（処理６０３）、その記録データをプロッタ６に転送して、アクセスログを記録出力し（処理６０４）、このアクセスログ出力処理を終了する。
【００７７】
また、判断６０２の結果がＮＯになるときには、そのときに、アクセスログを表示出力することが、装置に登録されているかどうかを調べ（判断６０５）、判断６０５の結果がＹＥＳになるときには、処理６０１で作成したアクセスログを操作表示手段７に表示出力し（処理６０６）、このアクセスログ出力処理を終了する。
【００７８】
また、判断６０５の結果がＮＯになるときには、処理６０３へ移行し、アクセスログの記録データを作成し、クセスログを記録出力して、このアクセスログ出力処理を終了する。すなわち、この場合、デフォルトでは、アクセスログを記録出力するように設定されている。
【００７９】
ここで、アクセスログの表示例を図１３に、また、アクセスログを記録出力してられるレポートの一例を図１４に示す。
【００８０】
図１５、図１６および図１７は、着信時処理（処理２０８）の他の例を示している。なお、この着信時処理の実行に当たっては、必要に応じ、上述したような処理タスクにかかる資源獲得などの処理が実行される。
【００８１】
まず、着信応答し（処理７０１）、相手端末との間で所定のグループ３ファクシミリ伝送前手順を実行する（処理７０２）。この伝送前手順中で信号ＳＵＢを受信したかどうかを調べ（判断７０３）、判断７０３の結果がＹＥＳになるときには、その信号ＳＵＢで指定されたＦコードのボックスを検索し（処理７０４）、対象となるボックスが見つかったかどうかを調べ（判断７０５）、判断７０５の結果がＹＥＳになるときには、そのボックスに対して、現時点で画情報が登録中であるかどうかを調べる（判断７０６）。
【００８２】
判断７０６の結果がＮＯになるときには、モデムトレーニング手順を実行してモデム速度を決定し（処理７０７）、画情報受信手順を実行して画情報を受信するとともに、そのときに受信した画情報を指定されたボックスへと格納し（処理７０８）、画情報受信動作を終了すると、所定の伝送後手順を実行し（処理７０９）、回線を復旧して（処理７０９）、この着信時処理を終了する。
【００８３】
また、その信号ＳＵＢで指定されたＦコードのボックスを見つけられなかった場合で、判断７０５の結果がＮＯになるとき、および、検索して見つけたボックスに対して、現在、ローカルに、あるいは、他の通信により画情報の登録中であり、判断７０６の結果がＹＥＳになるときには、回線を強制的に復旧し（処理７１１）、エラー理由を通知するためのエラーログを作成し（処理７１２）、そのエラーログを画情報へ変換し（処理７１３）、伝送前手順で受信した信号ＣＳＩなどで確認できる送信元へ発呼し、エラーログの画情報を送信する（処理７１４）。
【００８４】
また、伝送前手順で信号ＳＵＢを受信しなかった場合で、判断７０３の結果がＮＯになるときには、伝送前手順で所定のＦコード以外を指定した信号ＳＥＰを受信したかどうかを調べる（判断７１５）。
【００８５】
判断７１５の結果がＹＥＳになるときには、その信号ＳＥＰで指定されたＦコードのボックスを検索し（処理７１６）、対象となるボックスが見つかったかどうかを調べ（判断７１７）、判断７１７の結果がＹＥＳになるときには、指定された選択ポーリング送信動作を行うために、ポーリング送信動作に切換え、対応する伝送前手順を継続実行しそのときの画情報送信に使用する装置機能などを決定し（処理７１８）、モデムトレーニング手順を実行してモデム速度を決定する（処理７１９）。
【００８６】
ここで、そのときに指定されたボックスに対して、現時点で画情報が登録中であるかどうかを調べる（判断７２０）。判断７２０の結果がＮＯになるときには、指定されたボックスに格納されている画情報を読み出して送信する（処理７２１）。
【００８７】
一方、判断７２０の結果がＹＥＳになるときには、そのボックスに対する画情報の登録動作と同期を取りながら、画情報を読み出し、その読み出した画情報を送信する（処理７２２）。
【００８８】
そして、その画情報送信を終了すると、所定の伝送後手順を実行し（処理７２３）、回線を復旧して（処理７２４）、この着信時処理を終了する。
【００８９】
一方、その信号ＳＥＰで指定されたＦコードのボックスを見つけられなかった場合で、判断７１７の結果がＮＯになるときには、処理７１１へ移行し、回線を強制的に復旧し、エラー理由を通知するためのエラーログを作成し、そのエラーログを画情報へ変換し、伝送前手順で受信した信号ＣＳＩなどで確認できる送信元へ発呼し、エラーログの画情報を送信する。
【００９０】
また、判断７１５の結果がＮＯになるときには、所定のＦコードが指定された信号ＳＥＰを受信して、アクセスログ要求がされたかどうかを調べる（判断７２５）。
【００９１】
判断７２５の結果がＹＥＳになるときには、指定されたアクセスログ送信をポーリング送信動作で行うために、ポーリング送信動作に切換え、対応する伝送前手順を継続実行しそのときの画情報送信に使用する装置機能などを決定し（処理７２６）、モデムトレーニング手順を実行してモデム速度を決定する（処理７２７）。
【００９２】
次いで、そのときの各ボックスに対する送受信などの履歴を一覧表示する所定形式のアクセスログ（図示略）を作成し（処理７２８）、そのアクセスログの画情報を送信し（処理７２９）、そのアクセスログの送信を終了すると、所定の伝送後手順を実行し（処理７３０）、回線を復旧して（処理７３１）、この着信時処理を終了する。
【００９３】
また、判断７２５の結果がＮＯになるときには、通常の受信処理を実行し（処理７３２）、この着信時処理を終了する。
【００９４】
このようにして、この着信時処理では、信号ＳＵＢを受信して親展受信する場合、指定されたボックスが存在しないか、あるいは、その時点で画情報の登録中である場合には、その親展受信の受付を拒否するとともに、その旨を親展送信元へ通知しているので、無駄な受信動作を抑制するとともに、登録中の画情報が破壊されるような事態を回避でき、さらに、親展受信要求が拒否された原因を送信元のユーザが知ることができる。
【００９５】
また、信号ＳＥＰを受信して選択ポーリング受信要求がされた場合、指定されたボックスが存在しない場合には、その選択ポーリング受信要求の受付を拒否するとともに、その旨を選択ポーリング受信要求元へ通知しているので、無駄なポーリング送信動作を抑制できるとともに、選択ポーリング受信要求が拒否された原因を要求元のユーザが知ることができる。また、指定されたボックスに対し、その時点で画情報の登録中である場合には、画情報の登録に同期して登録されたが情報を読み出し、送信するようにしているので、登録中の中途半端な画情報を送信するような事態を回避できる。
【００９６】
また、所定の選択ポーリング受信要求時にＦコードが指定されると、アクセスログを送信するようにしているので、このＦコード対応センター装置のアクセス状況を、リモートに知ることができる。なお、この場合、アクセスログを要求できるユーザを制限するために、パスワードなどの認証手段を設けることができる。
【００９７】
なお、上述した実施例では、通信回線として公衆網ＰＳＴＮを用いているが、通信回線としてＩＳＤＮを用いた場合にも、本発明を同様にして適用することができる。
【００９８】
【０１００】
また、選択ポーリング受信要求がされた場合、指定されたボックスが存在しないか、あるいは、その時点で画情報の登録中である場合には、その親展受信の受付を拒否しているので、無駄なポーリング送信動作を抑制できるとともに、登録中の中途半端な画情報を送信するような事態を回避でき、さらに、選択ポーリング受信要求が拒否された原因を要求元のユーザが知ることができるという効果も得る。
【０１０１】
また、通信時に要求されると、アクセスログを送信するようにしているので、このＦコード対応センター装置のアクセス状況を、リモートに知ることができるという効果も得る。
【０１０２】
また、選択ポーリング受信要求がされた場合、指定されたボックスに対し、その時点で画情報の登録中である場合には、画情報の登録に同期して登録されたが情報を読み出し、送信するようにしているので、登録中の中途半端な画情報を送信するような事態を回避できるという効果も得る。
【図面の簡単な説明】
【図１】本発明の一実施例にかかるＦコード対応センター装置の構成を示したブロック図。
【図２】ボックス情報テーブル、および、ボックス情報の一例を示した概略図。
【図３】ファイル管理情報、ページ管理情報、および、ブロック管理情報の一例を示した概略図。
【図４】ジョブファイル、ジョブ制御ファイル、ジョブ実行ファイルの関係を示した概略図。
【図５】１つの通信動作の処理タスクを開始してから終了するときまでの一連の処理の概略の一例を示したフローチャート。
【図６】待機時にＦコード対応センター装置が実行する処理の一例を示したフローチャート。
【図７】送信処理（処理２０７）の一例を示したフローチャート。
【図８】着信時処理（処理２０８）の一例の一部を示したフローチャート。
【図９】着信時処理（処理２０８）の一例の他の部分を示したフローチャート。
【図１０】着信時処理（処理２０８）の一例の残りの部分を示したフローチャート。
【図１１】ローカル登録処理（処理２０９）の一例を示したフローチャート。
【図１２】アクセスログ出力処理（処理２１０）の一例を示したフローチャート。
【図１３】アクセスログの表示例を示した概略図。
【図１４】アクセスログを記録出力してられるレポートの一例を示した概略図。
【図１５】着信時処理（処理２０８）の他の例の一部を示したフローチャート。
【図１６】着信時処理（処理２０８）の他の例の他の部分を示したフローチャート。
【図１７】着信時処理（処理２０８）の他の例の残りの部分を示したフローチャート。
【符号の説明】
１  システム制御部
９  画像蓄積装置
１０  通信制御部
ＣＵ１〜ＣＵｍ  通信ユニット
【図１】
0003598459.tif 000002
【図２】
0003598459.tif 000003
【図３】
0003598459.tif 000004
【図４】
0003598459.tif 000005
【図５】
0003598459.tif 000006
【図６】
0003598459.tif 000007
【図７】
0003598459.tif 000008
【図８】
0003598459.tif 000009
【図９】
0003598459.tif 000010
【図１０】
0003598459.tif 000011
【図１１】
0003598459.tif 000012
【図１２】
0003598459.tif 000013
【図１３】
0003598459.tif 000014
【図１４】
0003598459.tif 000015
【図１５】
0003598459.tif 000016
【図１６】
0003598459.tif 000017
【図１７】
0003598459.tif 000018